(57)【特許請求の範囲】
【請求項１】
平板状の基板に所定間隔を有して上面が平面状の小巾の突部を複数列に亘って突設して、該各突部間に凹部をそれぞれ設けると共に、前記基板の下面に複数個所定間隔を有して脚柱を垂設してパネルボードを形成し、
部屋の下面に設けられた床面上に、大引きを所定間隔を有して複数本配設すると共に、該各大引き間の凹部に断熱材を装入し、且つ前記各大引き上に断熱板を架け渡して固定し、更に前記断熱板上に、前記パネルボードを複数枚複数列に亘って前記脚柱を介して載置固定し、且つ前記各列を構成する互いに隣り合う各パネルボードの突部をそれぞれ千鳥状に配設して、該各列のパネルボードの端縁部間に通気開口を形成し、
前記同列の互いに隣り合う各パネルボードの側面側を接合固定すると共に、前記各パネルボードの各突部の両端縁の開口部にコーキング材を充填して、該開口部を閉塞し、且つ互いに隣り合う各列を構成する接合部にコーキング材を塗布して、互いに隣り合う各列の各パネルボードを接合し、更に前記各パネルボード上に下張りを架け渡して固定すると共に、該下張り上に床仕上材を固定して、部屋の壁際に配設されたパネルボードにスリットを設けたグリルを延設する一方、前記パネルボードの上下面にそれぞれ下部空調エア通路と上部空調エア通路を形成すると共に、前記各列を構成する各パネルボードにより形成された各下部空調エア通路および各上部空調エア通路を連通し、更に前記各パネルボードの下部空調エア通路に、空気調和機室に設置された冷・温風を発生する空気調和機と連結したダクトを開口連結して、該空気調和機からの冷・温風を前記下部空調エア通路に送気して各パネルボードを冷却・加温し、
前記空気調和機から前記下部空調エア通路に送気されて各パネルボードを冷却・加温した後の使用済みの冷・温風を、該下部空調エア通路の他端縁部側の加圧機室に設置された加圧機に吸引して加冷・加温し、該加冷・加温した冷・温風を前記各パネルボードの各凹部に装着された圧送手段を介して、該各パネルボードの上部空調エア通路に圧送して各パネルボードおよび下張りを冷却または加温すると共に、前記各パネルボードの上部空調エア通路に圧送された前記冷・温風の空調エアを、該各パネルボードの各凹部の四周縁部の排気孔から前記下部空調エア通路に排気して循環させ、該各パネルボードの冷気または暖気を部屋へ放射する床放射冷暖房装置と、
前記空気調和機から下部空調エア通路に送気された前記冷・温風の空調エアを、前記グリルのスリットを介して部屋へ吹出すと共に、前記空気調和機室を構成する部屋側の壁に還流口を設けて、部屋内の空気を該空気調和機室に還流して循環させる床吹出し冷暖房装置とを組合せたことを特徴とする住宅用全空気方式床冷暖房システム。
【発明の詳細な説明】
【０００１】
【発明の属する技術分野】
本発明は、空気調和機で生成された冷・温風の空調エアを使用した床放射冷暖房装置と、床吹出し冷暖房装置とを組合せた、木造住宅やマンション等の住宅用全空気方式床冷暖房システムに関するものである。
【０００２】
【従来の技術】
従来、空調による冷・温風を使用した床冷暖房装置と床吹出し冷暖房装置とを組合せた住宅用全空気方式床冷暖房システムは、木造住宅やマンション等の住宅用としては実用に供されていなかった。そして、従来は、単にオフィスビル用として、特許第２６０２１９４号公報に開示されたものが公知であった。
【０００３】
【発明が解決しようとする課題】
前記従来公知の特許第２６０２１９４号公報に開示された冷暖房装置では、冷水および温水を生成する冷温水発生機を使用するので、該冷温水発生機を設置するスペースが必要であると共に、冷温水パイプを設置しなければならないので、設置費用が高価となり、また前記冷温水発生機を稼動するのにかなりの経費がかかり、従って木造住宅やマンション等の住宅用としてこれを使用すると極めて高価な冷暖房費となるという課題があった。
【０００４】
本発明は、前記課題を解決すべくなされたもので、冷温水発生機を使用することなく、空気調和機により生成された冷・温風の空調エアでパネルボードを冷却または加温すると共に、該パネルボードを冷却または加温した後の使用済みの冷・温風を加圧機で加圧して加冷・加温し、再びこれを利用することにより、設備費用の軽減を図ると共に、冷暖房費の軽減を図ることができ、また根太工事が不要である住宅用全空気方式床冷暖房システムを提供しようとするものである。
【０００５】
【課題を解決するための手段】
本発明は、平板状の基板に所定間隔を有して上面が平面状の小巾の突部を複数列に亘って突設して、該各突部間に凹部をそれぞれ設けると共に、前記基板の下面に複数個所定間隔を有して脚柱を垂設してパネルボードを形成し、
部屋の下面に設けられた床面上に、大引きを所定間隔を有して複数本配設すると共に、該各大引き間の凹部に断熱材を装入し、且つ前記各大引き上に断熱板を架け渡して固定し、更に前記断熱板上に、前記パネルボードを複数枚複数列に亘って前記脚柱を介して載置固定し、且つ前記各列を構成する互いに隣り合う各パネルボードの突部をそれぞれ千鳥状に配設して、該各列のパネルボードの端縁部間に通気開口を形成し、
前記同列の互いに隣り合う各パネルボードの側面側を接合固定すると共に、前記各パネルボードの各突部の両端縁の開口部にコーキング材を充填して、該開口部を閉塞し、且つ互いに隣り合う各列を構成する接合部にコーキング材を塗布して、互いに隣り合う各列の各パネルボードを接合し、更に前記各パネルボード上に下張りを架け渡して固定すると共に、該下張り上に床仕上材を固定して、部屋の壁際に配設されたパネルボードにスリットを設けたグリルを延設する一方、前記パネルボードの上下面にそれぞれ下部空調エア通路と上部空調エア通路を形成すると共に、前記各列を構成する各パネルボードにより形成された各下部空調エア通路および各上部空調エア通路を連通し、更に前記各パネルボードの下部空調エア通路に、空気調和機室に設置された冷・温風を発生する空気調和機と連結したダクトを開口連結して、該空気調和機からの冷・温風を前記下部空調エア通路に送気して各パネルボードを冷却・加温し、
前記空気調和機から前記下部空調エア通路に送気されて各パネルボードを冷却・加温した後の使用済みの冷・温風を、該下部空調エア通路の他端縁部側の加圧機室に設置された加圧機に吸引して加冷・加温し、該加冷・加温した冷・温風を前記各パネルボードの各凹部に装着された圧送手段を介して、該各パネルボードの上部空調エア通路に圧送して各パネルボードおよび下張りを冷却または加温すると共に、前記各パネルボードの上部空調エア通路に圧送された前記冷・温風の空調エアを、該各パネルボードの各凹部の四周縁部の排気孔から前記下部空調エア通路に排気して循環させ、該各パネルボードの冷気または暖気を部屋へ放射する床放射冷暖房装置と、
前記空気調和機から下部空調エア通路に送気された前記冷・温風の空調エアを、前記グリルのスリットを介して部屋へ吹出すと共に、前記空気調和機室を構成する部屋側の壁に還流口を設けて、部屋内の空気を該空気調和機室に還流して循環させる床吹出し冷暖房装置とを組合せるという手段を採用することにより、上記課題を解決した。
【０００６】
【発明の実施の形態】
本発明の実施の形態を図面に基づいて詳細に説明すると、本発明住宅用全空気方式床冷暖房システムは、部屋Ｒの下面に設けられたコンクリート等の床面１上に、下部空調エア通路２と上部空調エア通路３を形成することができるパネルボード４を複数枚固定して、前記各複数枚のパネルボード４の下部空調エア通路２および上部空調エア通路３をそれぞれ連通すると共に、該下部空調エア通路２および上部空調エア通路３に、冷・温風の空調エアを送気してパネルボード４を冷却または加温し、該パネルボード４から冷気または暖気を部屋Ｒに放射する床放射冷暖房装置と、前記下部空調エア通路２に送気された冷・温風の空調エアを部屋Ｒの端部に設置されたグリル５に設けられたスリット６を介して吹出して、部屋Ｒを冷却または加温する床吹出し冷暖房装置とを組合せて構成されている。
【０００７】
前記コンクリート等の床面１上には大引き７を所定間隔を有して複数本配設すると共に、該各大引き７間の凹部８にはグラスウール等の断熱材９を装入し、更に前記各大引き７上に断熱効果を有する断熱板１０を架け渡して固定する。
【０００８】
前記断熱板１０上には、パネルボード４が複数枚複数列に亘って接合して配設されると共に、該パネルボード４上に下張り１１を架け渡して固定し、更に該下張り１１上に、ビニールカーペット、木製タイルやフローリング等の床仕上材１２を固定する。
【０００９】
前記パネルボード４は、鋼板製の平板状の基板１３に所定間隔を有して上面が平面状の小巾の突部１４を複数列に亘って突設して、該各突部１４間に凹部１５をそれぞれ設けると共に、前記基板１３の一方側端縁部に他のパネルボード４の他方側端縁部を重合するための段部１６を設け、更に該基板１３の下面に前記断熱板１０上に間隔を有して載置するための脚柱１７を複数個所定間隔を有して垂設して形成されている。なお、前記パネルボード４は、特に限定する必要はないが、熱伝導率のよい金属板、好ましくはアルミニウム板により形成することが推奨される。
【００１０】
前記構成より成るパネルボード４は、前記のように複数枚複数列に亘って脚柱１７を介して断熱板１０上に載置固定されるが、同列の互いに隣り合う各パネルボード４の一方側端縁部の段部１６上に、他のパネルボード４の他方側端縁部を重合固定し、且つ前記各パネルボード４の各突部１４の両端縁の開口部にコーキング材１８を充填して、該開口部を閉塞すると共に、前記各列を構成する互いに隣り合う各パネルボード４の突部１４がそれぞれ千鳥状になるよう配設し、更に、前記互いに隣り合う各パネルボード４との接合部にコーキング材１８を塗布する一方、前記各パネルボード４の各突部１４上に接触するようにして下張り１１を架け渡して固定し、且つ該下張り１１上に床仕上材１２を固定して、前記断熱板１０と各パネルボード４の下面部間に下部空調エア通路２を形成すると共に、前記下張り１１と各パネルボード４の凹部１５間に上部空調エア通路３を形成する。前記各突部１４が根太の役目を果たすので、根太工事が不要である。
【００１１】
前記パネルボード４の下面に垂設された脚柱１７が、それぞれ独立して形成されているため、該各脚柱１７の底面が断熱板１０上に接地しているだけで、各脚柱１７間は連通状態となり、脚柱１７の外周面を含めてパネルボード４の下面において、前記下部空調エア通路２が形成され、空気の流通が可能である。
【００１２】
また、前記パネルボード４の上面に突設された複数個の突部１４の上面が下張り１１に当接しているだけで、各突部１４間の凹部１５は空間部となっているため、パネルボード４上面において、前記上部空調エア通路３が形成され、空気の流通が可能である。
【００１３】
そして、前記各列毎に各パネルボード４の突部１４を千鳥状に配設することにより、図６、図７に示すように各列の各パネルボード４の突部１４の各端縁部間にそれぞれ通気開口１９が形成され、且つ前記各突部１４の両端縁の開口部にコーキング材１８を充填して、該開口部を閉塞し、更に、前記互いに隣り合う各列を構成する各パネルボード４の接合部にコーキング材１８を塗布して各列の各パネルボード４を互いに接合してあるため、前記各列のいずれのパネルボード４の下部空調エア通路２および上部空調エア通路３が、すべて連通状態となり、図６、図７において矢印で示す方向に空気の流通が可能である。
【００１４】
また、前記部屋Ｒにおいて、例えば窓が形成されていて、外部よりの冷気や暖気が侵入するぺリメータ部等の壁２０ａに接近したパネルボード４の端縁部に、スリット６を多数開口したグリル５が延設されている。
【００１５】
前記部屋Ｒの互いに対面する壁２０ａ・２０ｂの外側には後述する空気調和機２１と加圧機２２を設置する、空気調和機室２３と加圧機室２４とがそれぞれ外壁２５ａ・２５ｂを設けて形成されている。
【００１６】
前記空気調和機室２３に設置された空気調和機２１は室外機２６と接続されると共に、該空気調和機２１により生成された冷・温風を前記各パネルボード４下面に形成された下部空調エア通路２内に送気するため、前記空気調和機２１に基部側を連結したダクト２７の先方部が、前記部屋Ｒの一端縁部に位置する下部空調エア通路２に開口連通されている。
【００１７】
そして、前記空気調和機室２３を構成する部屋Ｒ側の壁２０ｂの上方部には、部屋Ｒの空気を空気調和機２１が吸引して、該空気を循環させて使用するための還流口２８が設けられている。
【００１８】
前記空気調和機２１により生成された冷・温風の空調エアを下部空調エア通路２に送気して、該下部空調エア通路２に送気された冷・温風により、各パネルボード４を下面より冷却または加温して、冷気または暖気を床放射するよう形成されると共に、前記グリル５のスリット６から部屋Ｒ内に冷・温風を吹出して、ペリメータ部の暖気または冷気を抑制し、部屋Ｒを冷暖房できるように形成されている。
【００１９】
そして、前記下部空調エア通路２内に送気されて、前記各パネルボード４を冷却または加温した後の使用済みの冷・温風を、加圧機２２により吸引して加圧し、更に加冷・加温して、該加冷・加温された冷・温風を、前記各パネルボード４の上部空調エア通路３内に圧送して、該各パネルボード４および下張り１１の冷却または加温効果を更に上げるよう形成されている。
【００２０】
前記加圧機２２は、空気調和機２１から下部空調エア通路２内に送気された冷・温風で、各パネルボード４を下面より冷却または加温した後の使用済みの冷・温風を吸引して加冷・加温すべく、前記空気調和機２１から離れた位置に設けられた加圧機室２４内に設置されている。
【００２１】
前記加圧機２２は、前記使用済みの冷・温風を吸引する吸引パイプ２９が、その先端側を前記下部空調エア通路２の端部に臨ませると共に、その基部側が該加圧機２２に連結されている。そして、前記吸引パイプ２９より吸引された使用済みの冷・温風は加圧機２２に吸引されて加圧され、該使用済みの冷・温風が再び加冷・加温される。
【００２２】
前記加圧機２２の下流側には主ヘッダー３０が連結され、且つ該主ヘッダー３０には複数本のゴムパイプ３１の基端部が連結されると共に、該各ゴムパイプ３１の先端部には送気ヘッダー３２が連結され、更に該送気ヘッダー３２には複数本の送気ゴムパイプ３３の基端部が連結されると共に、該各送気ゴムパイプ３３の先端部は、前記各パネルボード４の上部空調エア通路３内に冷・温風を高圧で圧送する圧送手段３４の基部側に連結されている。
【００２３】
すなわち、前記圧送手段３４は、特に限定する必要はないが、好ましくは、複数枚接合された各パネルボード４の凹部１５の中央部に穿設された圧送孔３５にそれぞれその先端部が装着固定される。そして、前記圧送手段３４により各パネルボード４の上部空調エア通路３内に圧送されて、該各パネルボード４および下張り１１を冷却または加温した後の冷・温風は、前記各パネルボード４の凹部１５の四周縁部にそれぞれ穿設された排気孔３６より排気され、前記下部空調エア通路２内に流入して循環する。
【００２４】
前記圧送手段３４としては、特に限定する必要はないが、好ましくは、前記各送気ゴムパイプ３３の先端部に、エアインジェクター３７を連結して形成することが推奨される。そして、前記エアインジェクター３７により、高圧で冷・温風の空調エアを各パネルボード４の上部空調エア通路３内へ圧送する。
【００２５】
前記エアインジェクター３７は、特に限定する必要はないが、好ましくは図１０に示すように形成することが推奨される。すなわち、下流側に通路を狭く絞ってベンチュリー３８を形成した一次空気流入管３９の外周面に、通気用の間隔を有して複数本の支持片４０を下流側へ拡開して突設すると共に、該各支持片４０の先端に、湾曲して拡開した二次空気流入口４１を開口した、前記一次空気流入管３９より径大の二次空気流入管４２を、前記ベンチュリー３８の先端外周面に前記二次空気流入口４１を臨ませて連結固定して形成されている。
【００２６】
そして、前記構成より成るエアインジェクター３７の一次空気流入管３９の上流側が、前記送気ゴムパイプ３３に連結されると共に、二次空気流入管４２が、圧送ゴムパイプ４３の基部側に連結され、更に、該圧送ゴムパイプ４３の先端部が前記パネルボード４の圧送孔３５に装着固定されている。
【００２７】
前記部屋Ｒ内に設けられたパネルボード４上には、タイルカーペットや布カーペット等の床仕上材１２が敷設されるが、該床仕上材１２は、グリル５部分には敷設せず、該グリル５を介して下部空調エア通路２からの冷・暖風の部屋Ｒへの吹出し通路を確保する。なお、図中、４４・４５は、加圧機２２の外壁２５ａに設けられた排気ファンと、空気取入れ口である。
【００２８】
すなわち、本発明は、前記のように、下部空調エア通路２内に送気された空気調和機２１からの冷・温風の空調エアにより、各パネルボード４を下面より冷却または加温すると共に、前記下部空調エア通路２内に送気されて、前記各パネルボード４を冷却または加温した後の使用済みの冷・温風を加圧機２２に吸引して加圧することにより、更に冷却・加温され、そして、該冷却または加温された冷・温風を前記加圧機２２から主ヘッダー３０、ゴムパイプ３１、送気ヘッダー３２、送気ゴムパイプ３３およびエアインジェクター３７を介して各パネルボード４の上部空調エア通路３内に圧送して、該各パネルボード４を更に冷却または加温すると共に、該上部空調エア通路３を構成する下張り１１を冷却または加温して、前記各パネルボード４から床仕上材１２を通して冷気または暖気を部屋Ｒ内へ放射して、前記部屋Ｒを冷却または加温する床放射冷暖房装置と、前記下部空調エア通路２内に送気された空気調和機２１からの冷・温風の空調エアを、グリル５に開口されたスリット６を通して部屋Ｒへ吹出して、前記部屋Ｒを冷却または加温する床吹出し冷暖房装置との組合せより成るものである。
【００２９】
そして、前記部屋Ｒを冷却または加温されて、使用済みの冷風または温風は、還流口２８を介して空気調和機２１に吸引されて、再び該空気調和機２１により冷却または加温されて、使用済みの冷風または温風を循環させて再利用を図っている。
【００３０】
前記実施の形態より成る本発明住宅用全空気方式床冷暖房システムの作用について説明する。部屋Ｒを冷房する場合は、先ず空気調和機２１により生成された冷風をダクト２７を介して下部空調エア通路２内に送気すると、該下部空調エア通路２内に送気された冷風が各パネルボード４を下面より冷却する。そして、該各パネルボード４を下面より冷却した後の使用済みの冷風は、加圧機２２に吸引されて加圧されることによって、再び冷却されて送気ゴムパイプ３３に送気され、且つ該送気ゴムパイプ３３に送気された冷風は、圧送手段３４であるエアインジェクター３７に送気される。
【００３１】
前記エアインジェクター３７の一次空気流入管３９に送気された冷風は、ベンチュリー３８によって風速が６倍程度に早められて、該一次空気流入管３９から排気されると、前記ベンチュリー３８の排気口外周付近が負圧になり、該ベンチュリー３８の周囲の下部空調エア通路２内の冷風を吸引して混合気流となって、高圧で二次空気流入口４１から二次空気流入管４２に流れ込み、更に圧送ゴムパイプ４３を介して各パネルボード４の各凹部１５の中央部の圧送孔３５から上部空調エア通路３内に高圧で流入し、前記各パネルボード４を冷却すると共に、該上部空調エア通路３を構成する下張り１１を冷却する。そして更に、前記各パネルボード４の上部空調エア通路３内に高圧で流入した冷風は、該各パネルボード４を冷却した後、各パネルボード４の凹部１５の四周縁部の各排気孔３６より前記下部空調エア通路２内に排気されて循環する。
【００３２】
前記各列のパネルボード４がそれぞれ接合して配設されると共に、各列を構成する各パネルボード４の突部１４が千鳥状に配設されているため、上部空調エア通路３内に流入した冷風が直進せず乱流して、前記上部空調エア通路３を構成するパネルボード４の上面と下張り１１の底面に平均して接触し、冷気の各パネルボード４および下張り１１への伝導効率が高められ、該各パネルボード４が迅速に冷却されると共に、冷却状態をそのまま維持できるのである。
【００３３】
また、前記各列のパネルボード４の下面には多数の脚柱１６が垂設されているため、下部空調エア通路２内に流入した冷風が、前記脚柱１６に接触して乱流し、前記下部空調エア通路２を構成するパネルボード４の下面に平均して接触し、冷気の各パネルボード４への伝導効率が高められ、該各パネルボード４が迅速に冷却されると共に、冷却状態をそのまま維持できるのである。そして、前記上部空調エア通路３に送気された冷風により直接下張り１１を冷却すると共に、前記冷却された各パネルボード４の突部１４に接触する下張り１１を間接的に冷却することにより、該冷却された下張り１１からの冷気を床仕上材１２を通して部屋Ｒ内に放射して、該部屋Ｒ内を冷房する。
【００３４】
更に、前記下部空調エア通路２内に送気された冷風を、壁２０ａに近接して設けられたグリル５のスリット６より部屋Ｒ内に吹出して該部屋Ｒ内を冷房すると共に、例えば前記部屋Ｒにおいて窓が形成されていて、外部より暖気が侵入するペリメータ部の暖気を抑制し、更に冷房効率を高める。そして、前記部屋Ｒを冷却した後の使用済みの冷風は、還流口２８を介して空気調和機室２３内に還流されて、再び該空気調和機２１により冷却されて、使用済みの冷風の再利用を図る。
【００３５】
次に、前記実施の形態より成る本発明住宅用全空気方式床冷暖房システムを用いて、部屋Ｒを暖房する場合について説明する。先ず空気調和機２１により生成された温風をダクト２７を介して下部空調エア通路２内に送気すると、該下部空調エア通路２内に送気された温風が各パネルボード４を下面より加温する。そして、該各パネルボード４を下面より加温した後の使用済みの温風は、加圧機２２に吸引されて加圧されることによって、再び加温されて送気ゴムパイプ３３に送気され、且つ該送気ゴムパイプ３３に送気された温風は、圧送手段３４であるエアインジェクター３７に送気される。
【００３６】
前記エアインジェクター３７の一次空気流入管３９に送気された温風は、ベンチュリー３８によって風速が６倍程度に早められて、該一次空気流入管３９から排気されると、前記ベンチュリー３８の排気口外周付近が負圧になり、該ベンチュリー３８の周囲の下部空調エア通路２内の温風を吸引して混合気流となって、高圧で二次空気流入口４１から二次空気流入管４２に流れ込み、更に圧送ゴムパイプ４３を介して各パネルボード４の各凹部１５の中央部の圧送孔３５から上部空調エア通路３内に高圧で流入し、前記各パネルボード４を加温すると共に、該上部空調エア通路３を構成する下張り１１を加温する。そして更に、前記各パネルボード４の上部空調エア通路３内に高圧で流入した温風は、該各パネルボード４を加温した後、各パネルボード４の凹部１５の四周縁部の各排気孔３６より前記下部空調エア通路２内に排気されて循環する。
【００３７】
前記各列のパネルボード４がそれぞれ接合して配設されると共に、各パネルボード４の突部１４が千鳥状に配設されているため、上部空調エア通路３内に流入した温風が直進せず乱流して、前記上部空調エア通路３を構成するパネルボード４の上面と下張り１１の底面に平均して接触し、暖気の各パネルボード４および下張り１１への伝導効率が高められ、該各パネルボード４が迅速に加温されると共に、加温状態をそのまま維持できるのである。
【００３８】
また、前記各列のパネルボード４の下面には多数の脚柱１７が垂設されているため、下部空調エア通路２内に流入した温風が、前記脚柱１７に接触して乱流し、前記下部空調エア通路２を構成するパネルボード４の下面に平均して接触し、暖気の各パネルボード４への伝導効率が高められ、該各パネルボード４が迅速に加温されると共に、加温状態をそのまま維持できるのである。
【００３９】
そして、前記上部空調エア通路３に送気された温風により直接下張り１１を暖房すると共に、前記加温された各パネルボード４の突部１４に接触する下張り１１を間接的に加温することにより、該加温された下張り１１からの暖気を床仕上材１２を通して部屋Ｒ内に放射して、該部屋Ｒ内を暖房する。
【００４０】
更に、前記下部空調エア通路２内に送気された温風を、壁２０ａに近接して設けられたグリル５のスリット６より部屋Ｒ内に吹出して該部屋Ｒ内を暖房すると共に、例えば前記部屋Ｒにおいて窓が形成されていて、外部より冷気が侵入するペリメータ部の冷気を抑制し、更に暖房効率を高める。そして、前記部屋Ｒを加温した後の使用済みの温風は、還流口２８を介して空気調和機室２３内に還流されて、再び該空気調和機２１により加温されて、使用済みの温風の再利用を図る。
【００４１】
【発明の効果】
本発明は上述のようであるから、空気調和機の冷・温風の空調エアを下部空調エア通路内に送気して、各パネルボードの下面より冷却または加温すると共に、前記下部空調エア通路内に送気されて前記各パネルボードを冷却または加温した後の使用済みの冷・温風を、加圧機により再度冷却または加温し、これを圧送手段を介して、前記各パネルボードの上部空調エア通路に圧送して、該各パネルボードを更に冷却・加温して、パネルボードから冷気または暖気を放射して、部屋を冷却または加温する床放射冷暖房装置と、前記下部空調エア通路内に送気された冷・温風の空調エアをグリルに設けられたスリットを介して吹出して部屋を冷却または加温する床吹出し冷暖房装置とを組合せたので、冷暖房効率がよい。
【図面の簡単な説明】
【図１】本発明住宅用全空気方式床冷暖房システムの概略縦断面図である。
【図２】本発明住宅用全空気方式床冷暖房システムを構成するパネルボードの平面図である。
【図３】本発明住宅用全空気方式床冷暖房システムを構成するパネルボードの正面図である。
【図４】本発明住宅用全空気方式床冷暖房システムを構成するパネルボードの縦断面図である。
【図５】本発明全空気方式床冷暖房システムにおいて大引き間に断熱材を装入した状態を示す平面図である。
【図６】本発明住宅用全空気方式床冷暖房システムを構成するパネルボードを複数枚２列に亘って接合した状態を示す平面図である。
【図７】同斜視図である。
【図８】本発明住宅用全空気方式床冷暖房システムにおける要部の縦断面図である。
【図９】本発明住宅用全空気方式床冷暖房システムにおいて、上部空調エア通路に加圧機よりの冷・温風を圧送する状態を示す概略説明図である。
【図１０】本発明住宅用全空気方式床冷暖房システムにおける圧送手段部分の縦断面図である。
【符号の説明】
Ｒ  部屋、  １  床面、  ２  下部空調エア通路、  ３  上部空調エア通路、  ４  パネルボード、  ５  グリル、  ６  スリット、  ７  大引き、  ８  凹部、  ９    断熱材、  １０  断熱板、  １１  下張り、  １２  床仕上材、  １３  基板、  １４  突部、  １５  凹部、  １６  段部、  １７  脚柱、  １８コーキング材、  １９  通気開口、  ２０ａ・２０ｂ  壁、  ２１  空気調和機、  ２２  加圧機、  ２３  空気調和機室、  ２４  加圧機室、  ２５ａ・２５ｂ  外壁、  ２６  室外機、  ２７  ダクト、  ２８  還流口、  ２９  吸引パイプ、  ３０  主ヘッダー、  ３１  ゴムパイプ、  ３２  送気ヘッダー、  ３３  送気ゴムパイプ、３４  圧送手段、  ３５  圧送孔、  ３６  排気孔、  ３７  エアインジェクター、  ３８  ベンチュリー、  ３９  一次空気流入管、４０  支持片、  ４１  二次空気流入口、  ４２  二次空気流入管、  ４３  圧送ゴムパイプ、  ４４  排気ファン、  ４５  空気取入れ口。
【図１】
0003602104.tif 000002
【図２】
0003602104.tif 000003
【図３】
0003602104.tif 000004
【図４】
0003602104.tif 000005
【図５】
0003602104.tif 000006
【図６】
0003602104.tif 000007
【図７】
0003602104.tif 000008
【図８】
0003602104.tif 000009
【図９】
0003602104.tif 000010
【図１０】
0003602104.tif 000011